【手続補正書】
【提出日】平成17年10月4日(2005.10.4)
【手続補正１】
【補正対象書類名】明細書
【補正対象項目名】特許請求の範囲
【補正方法】変更
【補正の内容】
【特許請求の範囲】
【請求項１】  送話音声を入力する送話音声入力手段と、受話音声を出力する受話音声出力手段と、他の電話機との間で電話通信を行う電話通信手段とを備えた携帯電話機と、
車室内に設置され、送話音声を入力する送話音声入力手段と、受話音声を出力する受話音声出力手段とを備えたハンズフリー装置とを具備した通話システムにおいて、
前記携帯電話機と一体または別体であって前記ハンズフリー装置との間で近距離無線通信を行う近距離無線通信手段と、
前記携帯電話機の送話音声入力手段が入力した送話音声を前記携帯電話機の電話通信手段から他の電話機に送信させると共に、他の電話機から前記携帯電話機の電話通信手段が受信した受話音声を前記携帯電話機の受話音声出力手段から出力させる第１の通話処理を行っているときであって、前記近距離無線通信手段が前記ハンズフリー装置との間で近距離無線通信を可能であるときに、所定条件が成立したことを条件として、前記ハンズフリー装置の送話音声入力手段が入力した送話音声を前記携帯電話機の電話通信手段から他の電話機に送信させると共に、他の電話機から前記携帯電話機の電話通信手段が受信した受話音声を前記ハンズフリー装置の受話音声出力手段から出力させる第２の通話処理に切替可能な制御手段とを備えたことを特徴とする携帯電話機およびハンズフリー装置を利用した通話システム。
【請求項２】  送話音声を入力する送話音声入力手段と、受話音声を出力する受話音声出力手段と、他の電話機との間で電話通信を行う電話通信手段とを備えた携帯電話機と、
車室内に設置され、送話音声を入力する送話音声入力手段と、受話音声を出力する受話音声出力手段とを備えたハンズフリー装置とを具備した通話システムにおいて、
前記ハンズフリー装置と一体または別体であって前記携帯電話機との間で近距離無線通信を行う近距離無線通信手段と、
前記携帯電話機の送話音声入力手段が入力した送話音声を前記携帯電話機の電話通信手段から他の電話機に送信させると共に、他の電話機から前記携帯電話機の電話通信手段が受信した受話音声を前記携帯電話機の受話音声出力手段から出力させる第１の通話処理を行っているときであって、前記近距離無線通信手段が前記携帯電話機との間で近距離無線通信を可能であるときに、所定条件が成立したことを条件として、前記ハンズフリー装置の送話音声入力手段が入力した送話音声を前記携帯電話機の電話通信手段から他の電話機に送信させると共に、他の電話機から前記携帯電話機の電話通信手段が受信した受話音声を前記ハンズフリー装置の受話音声出力手段から出力させる第２の通話処理に切替可能な制御手段とを備えたことを特徴とする携帯電話機およびハンズフリー装置を利用した通話システム。
【請求項３】  前記制御手段は、操作手段において所定操作が行われたことを所定条件とすることを特徴とする請求項１または２記載の携帯電話機およびハンズフリー装置を利用した通話システム。
【請求項４】  携帯電話機が所定位置に載置されたか否かを検出する位置検出手段を備え、
前記制御手段は、携帯電話機が所定位置に載置されたことを前記位置検出手段が検出したことを所定条件とすることを特徴とする請求項１または２記載の携帯電話機およびハンズフリー装置を利用した通話システム。
【請求項５】  車両から入力した車両に関する情報を認識する車両情報認識手段を備え、
前記制御手段は、車両から入力した車両に関する情報が所定のものであることを前記車両情報認識手段が認識したことを所定条件とすることを特徴とする請求項１または２記載の携帯電話機およびハンズフリー装置を利用した通話システム。
【請求項６】  前記送話音声入力手段が入力した音声を認識する音声認識手段を備え、
前記制御手段は、前記送話音声入力手段が入力した音声が所定のものであることを前記音声認識手段が認識したことを所定条件とすることを特徴とする請求項１または２記載の携帯電話機およびハンズフリー装置を利用した通話システム。
【請求項７】  送話音声を入力する送話音声入力手段と、受話音声を出力する受話音声出力手段と、他の電話機との間で電話通信を行う電話通信手段とを備えた携帯電話機と、
車室内に設置され、送話音声を入力する送話音声入力手段と、受話音声を出力する受話音声出力手段とを備えたハンズフリー装置とを具備したハンズフリー通話システムに用いられる前記ハンズフリー装置であって、
前記ハンズフリー装置と一体または別体であって前記携帯電話機との間で近距離無線通信を行う近距離無線通信手段と、
所定の操作を行うための操作手段と、
前記携帯電話機の送話音声入力手段が入力した送話音声を前記携帯電話機の電話通信手段から他の電話機に送信させると共に、他の電話機から前記携帯電話機の電話通信手段が受信した受話音声を前記携帯電話機の受話音声出力手段から出力させる通話処理を行っており、前記近距離無線通信手段が前記携帯電話機との間で近距離無線通信を可能であると判断したときに、前記操作手段にて所定の操作が行われると、前記ハンズフリー装置の送話音声入力手段が入力した送話音声を、前記近距離無線通信手段を通じて前記携帯電話機の電話通信手段から他の電話機に送信させると共に、他の電話機から前記携帯電話機の電話通信手段が受信した受話音声を前記近距離無線通信手段を通じて前記ハンズフリー装置の受話音声出力手段から出力させる通話処理に切替可能な制御手段とを備えたことを特徴とするハンズフリー装置。
【請求項８】  前記判断が行われたときに、使用者にハンズフリー装置でのハンズフリー通話に切替可能な旨を使用者へ通知することを特徴とする請求項７記載のハンズフリー装置。
【請求項９】  ディスプレイと、送話音声を入力する送話音声入力手段と、受話音声を出力する受話音声出力手段と、他の電話機との間で電話通信を行う電話通信手段とを備えた携帯電話機と、
車室内に設置され、送話音声を入力する車内送話音声入力手段と、受話音声を出力する車内受話音声出力手段とを備えたハンズフリー装置とを具備したハンズフリー通話システムに用いられる前記携帯電話機であって、
前記携帯電話機と一体または別体であって前記携帯電話機との間で近距離無線通信を行う近距離無線通信手段と、
所定の操作を行うための操作手段と、
前記送話音声入力手段が入力した送話音声を前記電話通信手段から他の電話機に送信させると共に、他の電話機から前記携帯電話機の電話通信手段が受信した受話音声を前記受話音声出力手段から出力させる通話処理を行っており、前記近距離無線通信手段が前記ハンズフリー装置との間で近距離無線通信を可能であると判断したときに、前記操作手段にて所定の操作が行われると、前記車内送話音声入力手段が入力した送話音声を、前記近距離無線通信手段を通じて前記電話通信手段から他の電話機に送信させると共に、他の電話機から前記電話通信手段が受信した受話音声を、前記近距離無線通信手段を通じて前記車内受話音声出力手段から出力させる車内通話処理に切替可能な制御手段とを備えたことを特徴とする携帯電話機。
【請求項１０】  前記近距離無線通信手段が前記ハンズフリー装置との間で近距離無線通信を可能であると判断したときに、前記所定の操作を行わせるために、前記ディスプレイに前記車内通話処理に切り替えるかどうかの表示を行うことを特徴とする請求項９記載の携帯電話機。